(57)【要約】【課題】例えば、より不都合の少ない新規な構成を有したスイッチギヤを得る。【解決手段】実施形態のスイッチギヤは、例えば、筐体と、遮断器ユニットと、を備えている。遮断器ユニットは、ベースと、突起と、を有する。ベースは、筐体内の収容位置から第一方向に移動可能に設けられると共に収容位置に向けて第一方向の反対方向に移動可能に設けられる。突起は、ベースに設けられて、ベースから第一方向と交差した第二方向に付勢された状態で突出すると共に外力を受けて第二方向の反対方向に引き込み可能に構成される。筐体は、第一傾斜面を有する。第一傾斜面は、第一方向へ向かうにつれて第二方向に向かうように延び、ベースが収容位置へ移動する際に第二方向に突出した突起を第二方向の反対方向へ押圧して引き込ませる。【選択図】図４
2019041462.tif 000002
【特許請求の範囲】
【請求項１】
筐体と、
前記筐体内の収容位置から第一方向に移動可能に設けられると共に前記収容位置に向けて前記第一方向の反対方向に移動可能に設けられたベースと、前記ベースに設けられて、前記ベースから前記第一方向と交差した第二方向に付勢された状態で突出すると共に外力を受けて前記第二方向の反対方向に引き込み可能な突起と、を有した遮断器ユニットと、
を備えたスイッチギヤであって、
前記筐体は、
前記第一方向に沿って延びると共に前記ベースが前記収容位置へ移動する際に前記第二方向の反対方向に引き込まれた前記突起の先端と摺動する摺動面と、
前記摺動面と前記第一方向の反対方向に隣接し、前記ベースが前記収容位置に位置された状態で前記第二方向に突出した前記突起の前記第一方向への移動を制限する位置決め部と、
前記摺動面と前記第一方向に隣接し、前記第一方向へ向かうにつれて前記第二方向に向かうように延び、前記ベースが前記収容位置へ移動する際に前記第二方向に突出した前記突起を前記第二方向の反対方向へ押圧して引き込ませる第一傾斜面と、
を有した、スイッチギヤ。
【請求項２】
前記突起は、
前記第一方向へ向かうにつれて前記第二方向に向かうように延びると共に前記遮断器ユニットが前記収容位置へ移動する際に前記筐体の第一傾斜面と当接可能な、第二傾斜面を有する、
請求項１に記載のスイッチギヤ。
【請求項３】
前記突起は、表面に潤滑部が設けられた、
請求項１または２に記載のスイッチギヤ。
【請求項４】
前記筐体の第一傾斜面は、メッキ鋼板で構成されている、
請求項１〜３のいずれか１項に記載のスイッチギヤ。
【発明の詳細な説明】
【技術分野】
【０００１】
本発明の実施形態は、スイッチギヤに関する。
【背景技術】
【０００２】
従来、筐体内にスライド式の遮断器ユニットを有したスイッチギヤが知られている。
【先行技術文献】
【特許文献】
【０００３】
【特許文献１】特開２０１２−１１４９８１号公報
【発明の概要】
【発明が解決しようとする課題】
【０００４】
この種のスイッチギヤでは、例えば、遮断器ユニットを筐体内へ搬入する搬入作業がスムーズに行われやすい構成のようなより不都合の少ない新規な構成が得られれば、好ましい。
【課題を解決するための手段】
【０００５】
実施形態のスイッチギヤは、例えば、筐体と、遮断器ユニットと、を備えている。遮断器ユニットは、ベースと、突起と、を有する。ベースは、筐体内の収容位置から第一方向に移動可能に設けられると共に収容位置に向けて第一方向の反対方向に移動可能に設けられる。突起は、ベースに設けられて、ベースから第一方向と交差した第二方向に付勢された状態で突出すると共に外力を受けて第二方向の反対方向に引き込み可能に構成される。筐体は、摺動面と、位置決め部と、第一傾斜面と、を有する。摺動面は、第一方向に沿って延びると共にベースが収容位置へ移動する際に第二方向の反対方向に引き込まれた突起の先端と摺動する。位置決め部は、摺動面と第一方向の反対方向に隣接し、ベースが収容位置に位置された状態で第二方向に突出した突起の第一方向への移動を制限する。第一傾斜面は、摺動面と第一方向に隣接し、第一方向へ向かうにつれて第二方向に向かうように延び、ベースが収容位置へ移動する際に第二方向に突出した突起を第二方向の反対方向へ押圧して引き込ませる。
【図面の簡単な説明】
【０００６】
【図１】図１は、第１実施形態のスイッチギヤの遮断器ユニットが筐体内に収納位置にある状態を上側から見た例示的かつ模式的な断面図である。
【図２】図２は、第１実施形態のスイッチギヤの遮断器ユニットが筐体内に収納位置にある状態を側方から見た例示的かつ模式的な断面図である。
【図３】図３は、第１実施形態のスイッチギヤの遮断器ユニットが筐体から搬出された位置にある状態を上側から見た例示的かつ模式的な断面図である。
【図４】図４は、第１実施形態のスイッチギヤの遮断器ユニットが筐体から搬出された位置から筐体内に収納される位置まで段階的に示す例示的かつ模式的な断面図である。
【図５】図５は、第２実施形態のスイッチギヤの遮断器ユニットが筐体から搬出された位置にある状態を上側から見た例示的かつ模式的な断面図である。
【図６】図６は、第２実施形態のスイッチギヤの遮断器ユニットが筐体から搬出された位置から筐体内に収納される位置まで段階的に示す例示的かつ模式的な断面図である。
【図７】図７は、第２実施形態のスイッチギヤの遮断器ユニットの突起を拡大した例示的かつ模式的な平面図である。
【図８】図８は、第２実施形態のスイッチギヤの遮断器ユニットの突起と筐体とを拡大した例示的かつ模式的な平面図である。
【図９】図９は、第３実施形態のスイッチギヤの遮断器ユニットが筐体から搬出された位置にある状態を上側から見た例示的かつ模式的な断面図である。
【図１０】図１０は、第３実施形態のスイッチギヤの遮断器ユニットが筐体から搬出された位置から筐体内に収納される位置まで段階的に示す例示的かつ模式的な断面図である。
【発明を実施するための形態】
【０００７】
以下、本発明の例示的な実施形態が開示される。以下に示される実施形態の構成、ならびに当該構成によってもたらされる作用および結果（効果）は、一例である。
【０００８】
また、以下に開示される複数の実施形態には、同様の構成要素が含まれる。よって、以下では、それら同様の構成要素には共通の符号が付与されるとともに、重複する説明が省略される。なお、以下の各図では、便宜上、互いに直交する三方向が定義されている。Ｘ方向は、スイッチギヤ１の前後方向に沿い、Ｙ方向は、スイッチギヤ１の幅方向に沿い、Ｚ方向は、スイッチギヤ１の上下方向に沿う。
【０００９】
＜第１実施形態＞
図１，２に示されるように、スイッチギヤ１は、例えば、筐体２と、遮断器ユニット３と、を備えている。換言すれば、スイッチギヤ１は、遮断器ユニット３等の複数の収容機器が金属製の筐体２内に収容された、所謂金属閉鎖形スイッチギヤである。なお、スイッチギヤ１は、この例には限定されない。筐体２は、盤や閉鎖箱等とも称されうる。
【００１０】
図１，２に示されるように、筐体２は、例えば、直方体状の箱型に構成されている。筐体２は、例えば、複数の壁部４ａ，４ｂ，４ｃを有する。図２に示されるように、壁部４ａは、Ｚ方向と直交する方向（ＸＹ平面）に沿って延びている。壁部４ａは、底壁部や下壁部等と称される。
【００１１】
また、図１に示されるように、壁部４ｂ，４ｃは、Ｙ方向と直交する方向（ＸＺ平面）に沿って延びている。壁部４ｂ，４ｃは、側壁部や周壁部等と称される。壁部４ｂ，４ｃは、Ｙ方向に離れた状態で互いに面して位置している。筐体２の内部には、これらの壁部４ａ，４ｂ，４ｃで囲まれた収容部５が設けられている。
【００１２】
収容部５には、前述した遮断器ユニット３等の複数の収容機器が収容されている。収容機器には、それぞれ、図２に示されるように、遮断器ユニット３と、遮断器ユニット３の上側に積載された上段機器６と、遮断器ユニット３の下側に位置する下段機器７と、が含まれる。下段機器７の下端には複数の車輪８が回転可能に設けられている。収容機器をＸ方向に引くと、車輪８が壁部４ａ上を転動して収容機器を筐体２の外に搬出することができる。また、収容機器をＸ方向の反対方向に押して、当該収容機器を筐体２の中に搬入することができる。
【００１３】
また、筐体２は、扉９を有する。扉９は、筐体２のＸ方向の端部に設けられている。扉９は、Ｙ方向の端部に設けられた開閉中心部９ａを中心として、壁部４ｃに回転可能に設けられている。扉９には、回動可能なハンドル１０が設けられている。つまり、図１に示すように、通常状態では、扉９は閉位置で筐体２の開口を閉じており、ハンドル１０を回転させてＸ方向に引くことにより、扉９は図１の矢印に示すように回転して開位置へ移動し筐体２の開口を開く。
【００１４】
遮断器ユニット３は、図３，４に示されるように、ベース１１と、ピン１２Ｌ，１２Ｒと、を備えている。具体的には、ベース１１は、第一ベース１３と、第一ベース１３のＸ方向側に位置する第二ベース１４と、これら第一ベース１３および第二ベース１４を結合する連結具１５と、を備えている。また、ベース１１は、第二ベース１４のＹ方向の反対方向の端部およびＹ方向の端部に設けられた２つのピン１２Ｌ，１２Ｒと、第二ベース１４のＸ方向側に設けられた２つの取手１６Ｌ，１６Ｒと、を備えている。ベース１１は、筐体２内の収容位置ＰｉからＸ方向に移動可能に設けられると共に収容位置Ｐｉに向けてＸ方向の反対方向に移動可能に設けられている。なお、図１，２では、ベース１１は収容位置Ｐｉに位置している。ピン１２Ｌ，１２Ｒは、突起の一例である。Ｘ方向は、第一方向の一例である。Ｙ方向は、第二方向の一例である。
【００１５】
図３に示すように、壁部４ｂは、筐体２の内部の収容部５に面する内側面１７Ｌと、内側面１７ＬとＸ方向に隣接する第一傾斜面１８Ｌと、第一傾斜面１８ＬとＹ方向の反対方向に隣接する縦面１９Ｌと、内側面１７ＬとＹ方向の反対方向側に内側面１７Ｌから離れて位置して内側面１７Ｌと平行に延びる外側面２０Ｌと、を有する。内側面１７Ｌには、Ｙ方向の反対方向に延びる凹部２１Ｌが設けられている。この凹部２１Ｌは、遮断器ユニット３のピン１２Ｌが収容可能に構成されている。これにより、凹部２１ＬのＸ方向の壁は、Ｙ方向の反対方向に突出したピン１２ＬのＸ方向への移動を制限する。凹部２１Ｌは、位置決め部の一例である。
【００１６】
また、内側面１７Ｌのうち、凹部２１Ｌから第一傾斜面１８Ｌまでの範囲は摺動面２２Ｌである。凹部２１Ｌは、摺動面２２ＬとＸ方向の反対方向に隣接している。摺動面２２ＬはＸ方向に沿って延びている。遮断器ユニット３が筐体２内の収容位置Ｐｉへ向けてＸ方向の反対方向へ移動する際に、引き込まれたピン１２Ｌの先端１２Ｌａが摺動面２２Ｌと摺動する。
【００１７】
第一傾斜面１８Ｌは、摺動面２２ＬとＸ方向に隣接する。第一傾斜面１８Ｌは、Ｘ方向へ向かうにつれてＹ方向の反対方向に向かうように斜めに延びている。
【００１８】
また、壁部４ｃも壁部４ｂと同様の鏡像構造を有している。壁部４ｃは、筐体２内の収容部５に面する内側面１７Ｒと、内側面１７ＲとＸ方向に隣接する第一傾斜面１８Ｒと、第一傾斜面１８ＲとＹ方向に隣接する縦面１９Ｒと、内側面１７ＲとＹ方向側に内側面１７Ｒから離れて位置して内側面１７Ｒと平行に延びる外側面２０Ｒと、を有する。内側面１７Ｒには、Ｙ方向に延びる凹部２１Ｒが設けられている。この凹部２１Ｒは、遮断器ユニット３のピン１２Ｒが収容可能に構成されている。これにより、凹部２１Ｒは、Ｙ方向に突出したピン１２ＲのＸ方向への移動を制限する。凹部２１Ｒは、位置決め部の一例である。
【００１９】
また、内側面１７Ｒのうち、凹部２１Ｒから第一傾斜面１８Ｒまでの範囲は摺動面２２Ｒである。遮断器ユニット３が筐体２内の収容位置へ向けてＸ方向の反対方向へ移動する際に、ピン１２Ｒの先端１２Ｒａが摺動面２２Ｒと摺動する。
【００２０】
第一傾斜面１８Ｒは、摺動面２２ＲとＸ方向に隣接する。第一傾斜面１８Ｒは、Ｘ方向へ向かうにつれてＹ方向に向かうように斜めに延びている。
【００２１】
２つの壁部４ｂ，４ｃに設けられたそれぞれの第一傾斜面１８Ｌ，１８ＲがＹ方向に面している。これらの第一傾斜面１８Ｌ，１８Ｒによって、筐体２内の収容部５の入り口部分では、収容部５のＹ方向に沿った長さは、収容部５のＸ方向に向かうに従って徐々に拡大する。即ち、２つの第一傾斜面１８Ｌ，１８ＲにおけるＸ方向の端縁同士のＹ方向に沿った第一長さよりも、第一傾斜面１８Ｌ，１８ＲにおけるＸ方向の反対方向の端縁同士のＹ方向に沿った第二長さの方が長い。壁部４ｂ，４ｃにおいては、例えば、少なくとも第一傾斜面１８Ｌ，１８Ｒはメッキ鋼板で構成されている。なお、第一傾斜面１８Ｌ，１８Ｒ以外の面は、メッキ処理されない通常の鋼板で構成されてもよい。
【００２２】
第二ベース１４には、Ｙ方向に間隔をおいて取手１６Ｌ，１６Ｒが設けられている。取手１６Ｌ，１６Ｒは、Ｙ方向に移動可能である。第二ベース１４の内部には、Ｙ方向の中央側に位置するバネ２３と、バネ２３の両端に結合された連結バー２４Ｌ，２４Ｒと、連結バー２４Ｌ，２４Ｒの先端に結合されたピン１２Ｌ，１２Ｒと、を備えている。連結バー２４Ｌ，２４Ｒ、ピン１２Ｌ，１２Ｒおよび取手１６Ｌ，１６Ｒは、Ｙ方向に移動可能である。
【００２３】
バネ２３は、連結バー２４Ｌ，２４Ｒおよびピン１２Ｌ，１２ＲをＹ方向の外方に向けて付勢している。即ち、バネ２３のＹ方向の反対側の連結バー２４Ｌ，２４Ｒおよびピン１２Ｌ，１２Ｒは、バネ２３によってＹ方向の反対方向に向けて付勢されている。バネ２３のＹ方向側の連結バー２４Ｌ，２４Ｒおよびピン１２Ｌ，１２Ｒは、バネ２３によってＹ方向に向けて付勢されている。また、取手１６Ｌ，１６Ｒは、連結バー２４Ｌ，２４Ｒに結合されている。従って、第二ベース１４のＹ方向の中央側に向けて取手１６Ｌ，１６Ｒを移動させると、連結バー２４Ｌ，２４Ｒおよびピン１２Ｌ，１２Ｒが第二ベース１４のＹ方向の中央側に向けて移動し、ピン１２Ｌ，１２Ｒは、第二ベース１４に引き込まれる。このとき、バネ２３のＹ方向に沿った長さが縮むため、さらにバネ２３の付勢力が増す。
【００２４】
このように、ピン１２Ｌ，１２Ｒは、第二ベース１４に設けられている。また、ピン１２Ｌ，１２Ｒは、第二ベース１４からＸ方向と交差したＹ方向の反対方向およびＹ方向にバネ２３で付勢された状態で突出すると共に外力を受けて前記第二方向の反対方向に引き込み可能に構成されている。
【００２５】
また、ピン１２Ｌ，１２Ｒの硬度は、筐体２の第一傾斜面１８Ｌ，１８Ｒの硬度よりも高い。そして、ピン１２Ｌ，１２Ｒの表面には、例えば、グリス等の潤滑剤が塗布されたり、潤滑性を有する被膜が設けられたりしている。潤滑剤や被膜は、潤滑部の一例である。
【００２６】
以下に、図３，４を用いて、遮断器ユニット３を筐体２内の収容位置ＰｉからＸ方向（第一方向）に搬出（移動）する手順を説明する。
【００２７】
図４に示すように、遮断器ユニット３が収容位置Ｐｉに位置された状態では、遮断器ユニット３のピン１２Ｌ，１２Ｒが筐体２の内側面１７Ｌ，１７Ｒの凹部２１Ｌ，２１Ｒに収容されている。
【００２８】
まず、２つの取手１６Ｌ，１６ＲをＹ方向で互いに近づくように移動させると、取手１６Ｌ，１６Ｒと共に連結バー２４Ｌ，２４Ｒが移動する。また、連結バー２４Ｌ，２４Ｒがピン１２Ｌ，１２Ｒに結合しているため、２つのピン１２Ｌ，１２Ｒも遮断器ユニット３の幅方向中心に向けて互いに近づくように移動してそれぞれが第二ベース１４に引き込まれる。これにより、２つのピン１２Ｌ，１２Ｒが凹部２１Ｌ，２１Ｒから引き抜かれる。
【００２９】
次に、取手１６Ｌ，１６Ｒを把持したままＸ方向に引き出すと、遮断器ユニット３がＸ方向に移動する。このとき、ピン１２Ｌ，１２Ｒの先端１２Ｌａ，１２Ｒａが筐体２の摺動面２２Ｌ，２２Ｒ上を摺動しながら第一傾斜面１８Ｌ，１８Ｒまで移動する。
【００３０】
そして、遮断器ユニット３が筐体２から搬出された搬出位置Ｐｏでは、図３に示すように、２つのピン１２Ｌ，１２Ｒはバネ２３の付勢力によって、遮断器ユニット３の第二ベース１４の幅方向中心（Ｙ方向中心）からＹ方向に互いに離れる方向（第二方向）に突き出ている。具体的には、Ｙ方向の反対方向側のピン１２Ｌは、Ｙ方向の反対方向に突出している。Ｙ方向側のピン１２Ｒは、Ｙ方向に突出している。
【００３１】
以下に、図３，４を用いて、遮断器ユニット３を搬出位置Ｐｏから筐体２内の収容位置ＰｉにＸ方向の反対方向に向けて搬入する手順を説明する。
【００３２】
図３に示すように、遮断器ユニット３が筐体２内から搬出された搬出位置Ｐｏでは、それぞれのピン１２Ｌ，１２Ｒは、バネ２３の付勢力によって第二方向（Ｙ方向の反対方向およびＹ方向）に突き出ている。
【００３３】
次に、図４に示すように、遮断器ユニット３をＸ方向の反対方向に移動させると、遮断器ユニット３のピン１２Ｌ，１２Ｒの先端１２Ｌａ，１２Ｒａが、筐体２の壁部４ｂ，４ｃの第一傾斜面１８Ｌ，１８Ｒに当接する。第一傾斜面１８Ｌ，１８Ｒからピン１２Ｌ，１２Ｒに対して第二方向の反対方向（Ｙ方向およびＹ方向の反対方向）に向かう押圧力が印加される。この押圧力は、バネ２３の付勢力よりも大きいため、それぞれのピン１２Ｌ，１２Ｒは第二方向の反対方向（Ｙ方向およびＹ方向の反対方向）に移動して第二ベース１４に引き込まれる。
【００３４】
そして、遮断器ユニット３をそのままＸ方向の反対方向に移動させると、ピン１２Ｌ，１２Ｒの先端１２Ｌａ，１２Ｒａが摺動面２２Ｌ，２２Ｒの上を摺動しながら凹部２１Ｌ，２１Ｒまで進む。
【００３５】
遮断器ユニット３の収容位置Ｐｉにおいては、それぞれのピン１２Ｌ，１２Ｒは第二方向（Ｙ方向の反対方向およびＹ方向）に移動して筐体２の凹部２１Ｌ，２１Ｒに収容される。これにより、遮断器ユニット３は筐体２に保持される。
【００３６】
以上のように、本実施形態では、例えば、筐体２は、ベース１１が収容位置Ｐｉへ移動する際にピン１２Ｌ，１２Ｒ（突起）を押圧して引き込ませる第一傾斜面１８Ｌ，１８Ｒを有する。よって、本実施形態によれば、例えば、遮断器ユニット３が筐体２内の収容位置Ｐｉに向けて移動する際に、筐体２の第一傾斜面１８Ｌ，１８Ｒに遮断器ユニット３のピン１２Ｌ，１２Ｒが当接し、第一傾斜面１８Ｌ，１８Ｒからピン１２Ｌ，１２Ｒに遮断器ユニット３を押し込む力の反力（の分力）が作用する。すなわち、第一傾斜面１８Ｌ，１８Ｒがピン１２Ｌ，１２Ｒを押圧することによりピン１２Ｌ，１２Ｒがベース１１に引き込まれる。これにより、遮断器ユニット３を筐体２内へ収容させる作業をスムーズに行うことができる。
【００３７】
また、本実施形態では、例えば、ピン１２Ｌ，１２Ｒは、表面に潤滑部が設けられている。本実施形態では、例えば、遮断器ユニット３が筐体２内の収容位置Ｐｉに向けて移動する際に、ピン１２Ｌ，１２Ｒが筐体２の第一傾斜面１８Ｌ，１８Ｒに当接する。このとき、ピン１２Ｌ，１２Ｒの表面に潤滑部が設けられていると、ピン１２Ｌ，１２Ｒと第一傾斜面１８Ｌ，１８Ｒとの摩擦係数が低下する。従って、本実施形態によれば、ピン１２Ｌ，１２Ｒの摩耗を抑制することができる。
【００３８】
また、本実施形態では、例えば、筐体２の第一傾斜面１８Ｌ，１８Ｒは、メッキ鋼板で構成されている。本実施形態では、例えば、遮断器ユニット３が筐体２内の収容位置Ｐｉに向けて移動する際に、ピン１２Ｌ，１２Ｒが筐体２の第一傾斜面１８Ｌ，１８Ｒに当接する。このとき、筐体２の第一傾斜面１８Ｌ，１８Ｒがメッキ鋼板で構成されているため、ピン１２Ｌ，１２Ｒと第一傾斜面１８Ｌ，１８Ｒとの摩擦係数が低下する。従って、本実施形態によれば、ピン１２Ｌ，１２Ｒの摩耗を抑制することができる。
【００３９】
＜第２実施形態＞
図５〜８に示される第２実施形態のスイッチギヤ１Ａは、前記第１実施形態のスイッチギヤ１と同様の構成を備えている。よって、第２実施形態によっても、前記第１実施形態と同様の構成に基づく同様の結果（効果）が得られる。
【００４０】
ただし、第２実施形態では、例えば、壁部４ｂ，４ｃに第一傾斜面１８Ｌ，１８Ｒを設け、第二ベース１４に設けられた突出部材１１２Ｌ，１１２Ｒに第二傾斜面１１２Ｌａ，１１２Ｒａを設けている。また、本実施形態では、角柱状の突出部材１１２Ｌ，１１２Ｒは、突起の一例である。
【００４１】
図５，６，８に示すように、壁部４ｂは、筐体２内の収容部５に面する内側面１７Ｌと、内側面１７ＬとＸ方向に隣接する第一傾斜面１８Ｌと、第一傾斜面１８ＬとＹ方向の反対方向に隣接する縦面１９Ｌと、内側面１７ＬとＹ方向の反対方向側に内側面１７Ｌから離れて位置して内側面１７Ｌと平行に延びる外側面２０Ｌと、を有する。内側面１７Ｌには、Ｙ方向の反対方向に延びる凹部２１Ｌが設けられている。この凹部２１Ｌは、遮断器ユニット３の突出部材１１２Ｌが収容可能に構成されている。なお、壁部４ｃも、第１実施形態と同様の構成になっている。
【００４２】
図７に示すように、突出部材１１２ＬにおけるＸ方向の反対方向の角部が面取り加工されて、突出部材１１２Ｌに第二傾斜面１１２Ｌａが設けられている。つまり、Ｙ方向の反対方向側に設けた突出部材１１２Ｌには、Ｘ方向へ向かうにつれて第二方向に向かうように延びると共に、遮断器ユニット３Ａが収容位置Ｐｉへ移動する際に筐体２の第一傾斜面１８Ｌと当接可能な第二傾斜面１１２Ｌａが設けられている。なお、突出部材１１２Ｌの先端１１２Ｌｂは、摺動面２２Ｌに摺動される。
【００４３】
図５，６に示すように、Ｙ方向側に設けた突出部材１１２Ｒにおいても、第二傾斜面１１２Ｒａは、Ｘ方向へ向かうにつれて第二方向に向かうように傾斜して延びると共に、ベース１１が収容位置Ｐｉへ移動する際に筐体２の第一傾斜面１８Ｒと当接可能に構成されている。突出部材１１２Ｒの先端１１２Ｒｂは、摺動面２２Ｒに摺動される。
【００４４】
以下に、図６，８を用いて、遮断器ユニット３Ａを搬出位置Ｐｏから筐体２内の収容位置ＰｉにＸ方向の反対方向に搬入する手順を説明する。
【００４５】
図６に示すように、遮断器ユニット３Ａが筐体２から搬出された搬出位置Ｐｏでは、突出部材１１２Ｌ，１１２Ｒはバネ２３の付勢力によって第二方向に突き出ている。
【００４６】
次に、図８に示すように、遮断器ユニット３ＡをＸ方向の反対方向に移動させると、遮断器ユニット３Ａの突出部材１１２Ｌ，１１２Ｒの第二傾斜面１１２Ｌａ，１１２Ｒａが、筐体２の第一傾斜面１８Ｌ，１８Ｒに当接する。これにより、第一傾斜面１８Ｌ，１８Ｒから突出部材１１２Ｌ，１１２Ｒに対して第二方向の反対方向（Ｙ方向およびＹ方向の反対方向）に向かう押圧力が印加される。この押圧力は、バネ２３の付勢力よりも大きいため、突出部材１１２Ｌ，１１２Ｒは第二方向の反対方向に移動して第二ベース１４に引き込まれる。
【００４７】
そして、遮断器ユニット３Ａの収容位置Ｐｉにおいては、突出部材１１２Ｌ，１１２Ｒは第二方向（Ｙ方向の反対方向およびＹ方向）に移動して凹部２１Ｌ，２１Ｒに収容される。これにより、遮断器ユニット３Ａは筐体２に保持される。
【００４８】
以下に、図５，６，８を用いて、遮断器ユニット３Ａを搬出位置Ｐｏから筐体２内の収容位置ＰｉにＸ方向の反対方向に搬入する手順を説明する。
【００４９】
図５に示すように、遮断器ユニット３Ａが筐体２から搬出された搬出位置Ｐｏでは、突出部材１１２Ｌ，１１２Ｒはバネ２３の付勢力によって第二方向に突き出ている。
【００５０】
次に、遮断器ユニット３ＡをＸ方向の反対方向に移動させると、図６，８に示すように、遮断器ユニット３Ａの突出部材１１２Ｌ，１１２Ｒの第二傾斜面１１２Ｌａ，１１２Ｒａが、筐体２の第一傾斜面１８Ｌ，１８Ｒに当接する。これにより、筐体２の第一傾斜面１８Ｌ，１８Ｒから突出部材１１２Ｌ，１１２Ｒに対して第二方向の反対方向に向かう押圧力が印加される。この押圧力は、バネ２３の付勢力よりも大きいため、突出部材１１２Ｌ，１１２Ｒは第二方向の反対方向に移動して第二ベース１４に引き込まれる。
【００５１】
そして、突出部材１１２Ｌ，１１２Ｒの先端１１２Ｌｂ，１１２Ｒｂが摺動面２２Ｌ，２２Ｒを摺動しながら進行する。
【００５２】
遮断器ユニット３Ａの収容位置Ｐｉにおいては、突出部材１１２Ｌ，１１２Ｒは第二方向（Ｙ方向の反対方向およびＹ方向）に移動して凹部２１Ｌ，２１Ｒに収容される。これにより、遮断器ユニット３Ａは筐体２に保持される。
【００５３】
このように、本実施形態では、例えば、突出部材１１２Ｌ，１１２Ｒには、Ｘ方向へ向かうにつれて前記第二方向（Ｙ方向の反対方向およびＹ方向）に向かうように傾斜して延びると共に、遮断器ユニット３Ａが収容位置Ｐｉへ移動する際に筐体２の第一傾斜面１８Ｌ，１８Ｒと当接可能な第二傾斜面１１２Ｌａ，１１２Ｒａを有している。よって、本実施形態によれば、例えば、遮断器ユニット３Ａが筐体２内の収容位置Ｐｉに向けて移動する際に、第一傾斜面１８Ｌ，１８Ｒが突出部材１１２Ｌ，１１２Ｒを更に滑らかに押圧して突出部材１１２Ｌ，１１２Ｒが円滑に引き込まれるため、遮断器ユニット３Ａを筐体２内へ収容させる作業を更にスムーズに行うことができる。
【００５４】
＜第３実施形態＞
図９，１０に示される第３実施形態のスイッチギヤ１Ｂは、前記第１，第２実施形態のスイッチギヤ１，１Ａと同様の構成を備えている。よって、第３実施形態によっても、前記第１実施形態および第２実施形態と同様の構成に基づく同様の結果（効果）が得られる。
【００５５】
ただし、第３実施形態では、例えば、壁部１０４ｂ，１０４ｃには第一傾斜面を設けておらず、第二ベース１４に設けられた突出部材１１２Ｌ，１１２Ｒに第二傾斜面１１２Ｌａ，１１２Ｒａを設けている。また、本実施形態では、突起として第２実施形態と同様の突出部材１１２Ｌ，１１２Ｒを適用している。また、突出部材１１２Ｌ，１１２Ｒには、先端１１２Ｌｂ，１１２Ｒｂが設けられている。
【００５６】
図９，１０に示すように、壁部１０４ｂは、内側面１７Ｌと、内側面１７ＬとＸ方向に隣接して位置すると共にＹ方向に延びる縦面１１９Ｌと、内側面１７ＬのＹ方向の反対側に離間して位置し内側面１７Ｌと平行に延びる外側面２０Ｌと、を有する。なお、壁部１０４ｃは、内側面１７Ｒと、内側面１７ＲとＸ方向に隣接して位置すると共にＹ方向に延びる縦面１１９Ｒと、内側面１７ＲのＹ方向の反対側に離間して位置し内側面１７Ｒと平行に延びる外側面２０Ｒと、を有する。
【００５７】
以下に、図９，１０を用いて、遮断器ユニット３Ａを搬出位置Ｐｏから筐体２内の収容位置Ｐｉに向けて、Ｘ方向の反対方向に搬入する手順を説明する。
【００５８】
図９に示すように、遮断器ユニット３Ａが筐体２から搬出された搬出位置Ｐｏでは、突出部材１１２Ｌ，１１２Ｒはバネ２３の付勢力によって第二方向に突き出ている。
【００５９】
次に、遮断器ユニット３ＡをＸ方向の反対方向に移動させると、遮断器ユニット３Ａの突出部材１１２Ｌ，１１２Ｒの第二傾斜面１１２Ｌａ，１１２Ｒａが、筐体２の摺動面２２Ｌ，２２Ｒと縦面１１９Ｌ，１１９Ｒとの角部に当接する。これにより、筐体２から突出部材１１２Ｌ，１１２Ｒの第二傾斜面１１２Ｌａ，１１２Ｒａに対して第二方向の反対方向に向かう押圧力が印加される。この押圧力は、バネ２３の付勢力よりも大きいため、突出部材１１２Ｌ，１１２Ｒは第二方向の反対方向（Ｙ方向およびＹ方向の反対方向）に移動して第二ベース１４に引き込まれる。
【００６０】
そして、突出部材１１２Ｌ，１１２Ｒの先端１１２Ｌｂ，１１２Ｒｂが摺動面２２Ｌ，２２Ｒを摺動しながら進行する。
【００６１】
遮断器ユニット３Ａの収容位置Ｐｉにおいては、突出部材１１２Ｌ，１１２Ｒは第二方向（Ｙ方向）に移動して凹部２１Ｌ，２１Ｒに収容される。これにより、遮断器ユニット３Ａは筐体２に保持される。
【００６２】
以上のように、本実施形態のスイッチギヤ１Ｂは、筐体２と、前記筐体２内の収容位置Ｐｉから第一方向に搬出可能に設けられると共に前記収容位置Ｐｉに向けて前記第一方向の反対方向に搬入可能に設けられたベース１１と、前記ベース１１に設けられて、前記ベース１１から前記第一方向と交差した第二方向に付勢された状態で突出すると共に外力を受けて前記第二方向の反対方向に引き込み可能な突出部材１１２Ｌ，１１２Ｒと、を有した遮断器ユニット３Ａと、を備えている。
【００６３】
前記筐体２は、前記第一方向に沿って延びると共に前記ベース１１が前記収容位置Ｐｉへ移動する際に前記第二方向の反対方向に引き込まれた前記突出部材１１２Ｌ，１１２Ｒの先端１１２Ｌｂ，１１２Ｒｂと摺動する摺動面２２Ｌ，２２Ｒと、前記摺動面２２Ｌ，２２Ｒと前記第一方向の反対方向に隣接し、前記ベース１１が前記収容位置Ｐｉに位置された状態で前記第二方向に突出した前記突出部材１１２Ｌ，１１２Ｒの前記第一方向への移動を制限する凹部２１Ｌ，２１Ｒと、前記摺動面２２Ｌ，２２Ｒと前記第一方向に隣接し、前記第二方向に向かうように延びる縦面１１９Ｌ，１１９Ｒと、を有する。突出部材１１２Ｌ，１１２Ｒには、Ｘ方向へ向かうにつれて前記第二方向（Ｙ方向の反対方向およびＹ方向）に向かうように傾斜して延びると共に、ベース１１が収容位置Ｐｉへ移動するに向けて搬入される際に筐体２と当接可能な第二傾斜面１１２Ｌａ，１１２Ｒａを有している。
【００６４】
よって、本実施形態によれば、例えば、遮断器ユニット３Ａが筐体２内の収容位置Ｐｉに向けて移動する際に、筐体２の内側面１７Ｌ，１７Ｒと縦面１１９Ｌ，１１９Ｒとの角部が突出部材１１２Ｌ，１１２Ｒの第二傾斜面１１２Ｌａ，１１２Ｒａを押圧することにより、突出部材１１２Ｌ，１１２Ｒがベース１１に引き込まれる。これにより、遮断器ユニット３Ａを筐体２内へ収容させる作業をスムーズに行うことができる。
【００６５】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【符号の説明】
【００６６】
１，１Ａ，１Ｂ…スイッチギヤ、２…筐体、３，３Ａ…遮断器ユニット、１２Ｌ，１２Ｒ…ピン（突起）、１２Ｌａ，１２Ｒａ…先端、１８Ｌ，１８Ｒ…第一傾斜面、２１Ｌ，２１Ｒ…凹部（位置決め部）、２２Ｌ，２２Ｒ…摺動面、１１２Ｌ，１１２Ｒ…突出部材（突起）、１１２Ｌａ，１１２Ｒａ…第二傾斜面、１１２Ｌｂ，１１２Ｒｂ…先端。
【図１】
2019041462.tif 000003
【図２】
2019041462.tif 000004
【図３】
2019041462.tif 000005
【図４】
2019041462.tif 000006
【図５】
2019041462.tif 000007
【図６】
2019041462.tif 000008
【図７】
2019041462.tif 000009
【図８】
2019041462.tif 000010
【図９】
2019041462.tif 000011
【図１０】
2019041462.tif 000012